(57)【要約】【課題】地金の換金取引の安全性が維持される。【解決手段】自動取引装置１０では、貴金属の地金２ｂが備えられた地金カード２の記録媒体２ａに第２口座情報と地金２ｂの重量情報等をと記録しておき、カード情報取得部１４により、金融カード１の第１口座情報と、地金カード２の第２口座情報及び重量情報とを取得させ、地金換金部１６により、口座情報判定部１５が第１口座情報と第２口座情報との一致を判定した場合に、重量情報から重量情報に対応する金額の現金に換金される。  これにより、自動取引装置１０では、不正に地金カード２を取得した者が、その地金カード２の所有者に成りすまして、地金カード２の地金２ｂを換金することができなくなり、換金取引の安全性が保たれた状態で自動取引装置１０は換金処理を実行することができる。【選択図】図１
2015125717.tif 000002
【特許請求の範囲】
【請求項１】
金融カードを受け付けて、金融機関との金融取引を実行する自動取引装置において、
受け付けた前記金融カードに備えられた、口座に関する第１口座情報が記録された記録媒体から前記第１口座情報を取得し、貴金属の地金を具備し、口座に関する第２口座情報と前記地金の重量情報とが記録された記録媒体を備える地金カードを受け付けて、前記地金カードの前記記録媒体から前記第２口座情報と前記重量情報とを取得するカード情報取得部と、
前記カード情報取得部が取得した前記第１口座情報と前記第２口座情報とが一致するか否かを判定する口座情報判定部と、
前記口座情報判定部が前記第１口座情報と前記第２口座情報との一致を判定した場合に、前記重量情報から前記重量情報に対応する金額に換金する地金換金部と、
を有することを特徴とする自動取引装置。
【請求項２】
前記口座情報判定部が前記第１口座情報と前記第２口座情報とが一致しないことを判定した場合には、前記金融カード及び前記地金カードを排出させる換金処理制御部、
をさらに有することを特徴とする請求項１記載の自動取引装置。
【請求項３】
前記換金処理制御部は、前記地金換金部で換金された前記金額の現金を出金させる、
ことを特徴とする請求項２記載の自動取引装置。
【請求項４】
前記換金処理制御部は、前記地金換金部で換金された前記金額を前記第１口座情報に入金させる、
ことを特徴とする請求項２記載の自動取引装置。
【請求項５】
前記地金カードの前記記録媒体には、前記地金カードを識別するカード識別情報が記録されており、
前記地金換金部は、前記カード識別情報に基づき認証された前記地金カードに対して換金を行う、
ことを特徴とする請求項１記載の自動取引装置。
【請求項６】
金融カードを受け付けて、金融機関との金融取引を実行する自動取引装置の地金換金処理方法において、
受け付けた前記金融カードに備えられた、口座に関する第１口座情報が記録された記録媒体から前記第１口座情報を取得し、貴金属の地金を具備し、口座に関する第２口座情報と前記地金の重量情報とが記録された記録媒体を備える地金カードを受け付けて、前記地金カードの前記記録媒体から前記第２口座情報と前記重量情報とを取得し、
取得した前記第１口座情報と前記第２口座情報とが一致するか否かを判定し、
前記第１口座情報と前記第２口座情報との一致を判定した場合に、前記重量情報から前記重量情報に対応する金額に換金する、
ことを有することを特徴とする自動取引装置の地金換金処理方法。
【請求項７】
金融カードを受け付けて、金融機関との金融取引を実行する自動取引装置において、
貴金属の地金を具備し、前記金融カードの所有者に対応付けられた識別情報と前記地金の重量情報とが記録された記録媒体を備える地金カードを受け付けて、前記記録媒体から前記識別情報と前記重量情報とを取得するカード情報取得部と、
前記識別情報を保持する識別情報保持部と、
前記重量情報に対応する換金額を支払う換金支払部と、
を有することを特徴とする自動取引装置。
【発明の詳細な説明】
【技術分野】
【０００１】
本発明は、自動取引装置及び自動取引装置の地金換金処理方法に関する。
【背景技術】
【０００２】
銀行、信販会社等の金融機関では、金融取引を行うＡＴＭ（Automatic Teller Machine）、キャッシング装置等の自動取引装置が用いられている。自動取引装置は、キャッシュカードやクレジットカード等の金融カードを受け付けて、顧客からの操作入力に基づき、金融取引を自動的に行うことができる。
【０００３】
ところで、金、白金、銀等の貴金属は、地金（金属魂）として、流通されており、その時の重量の為替レート（重量当たりの価格）で売買取引が行われる。このような地金の取引は貴金属運用会社で人手を介して行われている。この際、貴金属の地金を、ＩＣチップ等の記録媒体を備えるカード（地金カード）に具備させて、当該地金カードで取り扱うことができる（例えば、特許文献１参照）。このため、地金の取り扱い性が向上し、また、貴金属運用会社、取引履歴等の情報をＩＣチップに記録しておくことができる。
【０００４】
そこで、このような地金カードを自動取引装置で取り扱わせることで、地金の重量から為替レートに基づき換金された現金の支払いが人手を介さずに自動で実行されることが可能となり、換金処理が容易化し、利便性の向上を図ることができる。
【先行技術文献】
【特許文献】
【０００５】
【特許文献１】特開２００９−１４０４２７号公報
【発明の概要】
【発明が解決しようとする課題】
【０００６】
しかし、自動取引装置に上記の地金カードを利用して、地金の換金処理を実行させる場合、例えば、成りすましにより換金処理が実行されて、また、地金が抜き取られた地金カードにより換金処理が実行されて現金が取得されてしまうといった不正が行われるおそれがある。
【０００７】
本発明はこのような点を鑑みてなされたものであって、地金の換金取引の安全性が維持された自動取引装置及び自動取引装置の地金換金処理方法を提供することを目的とする。
【課題を解決するための手段】
【０００８】
本発明の一観点によれば、金融カードを受け付けて、金融機関との金融取引を実行する自動取引装置において、受け付けた前記金融カードに備えられた、口座に関する第１口座情報が記録された記録媒体から前記第１口座情報を取得し、貴金属の地金を具備し、口座に関する第２口座情報と前記地金の重量情報とが記録された記録媒体を備える地金カードを受け付けて、前記地金カードの前記記録媒体から前記第２口座情報と前記重量情報とを取得するカード情報取得部と、前記カード情報取得部が取得した前記第１口座情報と前記第２口座情報とが一致するか否かを判定する口座情報判定部と、前記口座情報判定部が前記第１口座情報と前記第２口座情報との一致を判定した場合に、前記重量情報から前記重量情報に対応する金額に換金する地金換金部と、を有する自動取引装置が提供される。
【０００９】
本発明の一観点によれば、上記自動取引装置で行われる換金処理方法が提供される。
また、本発明の一観点によれば、金融カードを受け付けて、金融機関との金融取引を実行する自動取引装置において、貴金属の地金を具備し、前記金融カードの所有者に対応付けられた識別情報と前記地金の重量情報とが記録された記録媒体を備える地金カードを受け付けて、前記記録媒体から前記識別情報と前記重量情報とを取得するカード情報取得部と、前記識別情報を保持する識別情報保持部と、前記重量情報に対応する換金額を支払う換金支払部と、を有する自動取引装置が提供される。
【発明の効果】
【００１０】
開示の技術によれば、地金の不正な換金取引を防止することができる。
【図面の簡単な説明】
【００１１】
【図１】第１の実施の形態に係る自動取引装置の概念図である。
【図２】第２の実施の形態に係る自動取引システムの一例を示す図である。
【図３】第２の実施の形態に係る自動取引装置のハードウェア構成例を示す図である。
【図４】第２の実施の形態に係る自動取引装置が備えるカード処理ユニットのハードウェア構成例を示す図である。
【図５】第２の実施の形態に係る金融ホストコンピュータ及び地金ホストコンピュータのハードウェア構成例を示す図である。
【図６】第２の実施の形態に係る自動取引装置が備える機能を示す機能ブロック図である。
【図７】第２の実施の形態に係る金融ホストコンピュータ及び地金ホストコンピュータが備える機能を示す機能ブロック図である。
【図８】第２の実施の形態に係る自動取引システムで実行される地金換金処理を示すフローチャート（その１）である。
【図９】第２の実施の形態に係る自動取引システムで実行される地金換金処理を示すフローチャート（その２）である。
【図１０】第２の実施の形態に係る自動取引システムで実行される地金換金処理を示すフローチャート（その３）である。
【図１１】第２の実施の形態に係る自動取引システムで実行される地金換金処理を示すフローチャート（その４）である。
【図１２】第２の実施の形態に係る自動取引システムで実行される地金換金処理時に自動取引装置に表示される表示画面例を示す図（その１）である。
【図１３】第２の実施の形態に係る自動取引システムで実行される地金換金処理時に自動取引装置に表示される表示画面例を示す図（その２）である。
【図１４】第２の実施の形態に係る自動取引システムで実行される地金換金処理時に自動取引装置に表示される表示画面例を示す図（その３）である。
【図１５】第３の実施の形態に係る自動取引装置が備える機能を示す機能ブロック図である。
【図１６】第３の実施の形態に係る自動取引システムで実行される地金換金処理を示すフローチャートである。
【発明を実施するための形態】
【００１２】
以下、図面を参照して実施の形態について説明する。
［第１の実施の形態］
第１の実施の形態の自動取引装置について図１を用いて説明する。
【００１３】
図１は、第１の実施の形態に係る自動取引装置の概念図である。
なお、図１（Ａ）は、自動取引装置について、図１（Ｂ）は、金融カードと地金カードとが異なる口座情報を備える場合について、それぞれ示している。
【００１４】
自動取引装置１０は、金融カード１を受け付けて、金融機関との金融取引を実行するものであって、図１（Ａ）に示されるように、金融カード情報保持部１１と、地金カード情報保持部１２を備える。さらに、自動取引装置１０は、記録媒体読取部１３と、カード情報取得部１４、口座情報判定部１５、地金換金部１６、支払部１７を備える。
【００１５】
なお、金融カード１は、口座に関する口座情報が記録された記録媒体１ａを備えている。記録媒体１ａは、例えば、磁気ストライプ、ＩＣチップ等である。
また、地金カード２は、貴金属の地金２ｂを具備し、口座に関する口座情報と地金の重量情報とが記録された記録媒体２ａを備えている。記録媒体２ａは、例えば、磁気ストライプ、ＩＣチップ等である。
【００１６】
金融カード情報保持部１１は、自動取引装置１０が受け付けて後述するカード情報取得部１４が取得した金融カード１の記録媒体１ａに記録されている情報（口座情報等）を保持する。
【００１７】
地金カード情報保持部１２は、自動取引装置１０が受け付けて後述するカード情報取得部１４が取得した地金カード２の記録媒体２ａに記録されている情報（口座情報、地金２ｂの重量情報等）を保持する。
【００１８】
記録媒体読取部１３は、自動取引装置１０が受け付けた金融カード１の記録媒体１ａから口座情報を読み取る。記録媒体読取部１３は、地金カード２を受け付けて、地金カード２の記録媒体２ａから口座情報と地金２ｂの重量情報とを読み取る。このような記録媒体読取部１３は、例えば、カード処理装置等である。
【００１９】
カード情報取得部１４は、記録媒体読取部１３が読み取った金融カード１の口座情報、地金カード２の口座情報及び地金２ｂの重量情報等を取得する。また、カード情報取得部１４は、金融カード１から取得した口座情報を金融カード情報保持部１１に保持させ、地金カード２から取得した口座情報と重量情報とを地金カード情報保持部１２に保持させる。
【００２０】
口座情報判定部１５は、カード情報取得部１４が取得した金融カード１の口座情報と地金カード２の口座情報とが一致するか否かを判定する。
地金換金部１６は、口座情報判定部１５が金融カード１の口座情報と地金カード２の口座情報との一致を判定した場合に、重量情報から重量情報に対応する額の現金に換金する。
【００２１】
支払部１７は、地金換金部１６で算出された換金金額の現金を支払う。このような支払部１７は、例えば、紙幣処理装置等である。
なお、自動取引装置１０の少なくともカード情報取得部１４と、口座情報判定部１５、地金換金部１６は、自動取引装置１０が備える図示しないＣＰＵ（Central Processing Unit）によって所定のプログラムが実行されることにより、その処理機能が実現される。
【００２２】
次に、このような構成を有する自動取引装置１０で実行される換金処理について説明する。
まず、金融カード１の記録媒体１ａには、口座情報として、例えば「１２３」が記録されている。金融カード１の所有者（顧客）は、換金対象の地金２ｂが備えられた地金カード２を所有している。この地金カード２の記録媒体２ａには、金融カード１に一致する口座情報（「１２３」）が記録されている。
【００２３】
顧客は、自動取引装置１０の記録媒体読取部１３に金融カード１を挿入する。すると、記録媒体読取部１３は、金融カード１を受け付けて、金融カード１の記録媒体１ａから口座情報（「１２３」）を読み取る。
【００２４】
続けて、顧客は、自動取引装置１０の記録媒体読取部１３に地金カード２を挿入すると、記録媒体読取部１３は、地金カード２を受け付けて、地金カード２の記録媒体２ａから口座情報（「１２３」）及び重量情報とを読み取る。
【００２５】
カード情報取得部１４は、記録媒体読取部１３が読み取った金融カード１の口座情報と、地金カード２の口座情報及び重量情報とを取得して、金融カード情報保持部１１及び地金カード情報保持部１２にそれぞれ保持させる。
【００２６】
口座情報判定部１５は、金融カード情報保持部１１及び地金カード情報保持部１２を参照して、カード情報取得部１４が取得した金融カード１の口座情報と地金カード２の口座情報とがいずれも「１２３」で一致することを判定する。
【００２７】
地金換金部１６は、口座情報判定部１５が金融カード１の口座情報と地金カード２の口座情報との一致を判定すると、重量情報から当該重量情報に対応する額の現金に換金する。
【００２８】
支払部１７は、地金換金部１６により換金された現金を顧客に支払う。なお、支払いは、換金された現金を顧客に直接出金し、または、顧客の口座に入金して、顧客に支払われる。
【００２９】
なお、換金処理が完了した地金２ｂを具備する地金カード２は自動取引装置１０内に回収される。
次いで、仮に、上記の地金カード２を不正に取得した者（不正行為者）が、自身の金融カードで自動取引装置１０を用いて換金する場合について説明する。
【００３０】
不正行為者が所有する金融カード１には、例えば、図１（Ｂ）に示すように、口座情報（「７８９」）が記録された記録媒体１ａが備えられている。
このような場合に、不正行為者は、上記と同様に、自動取引装置１０の記録媒体読取部１３に金融カード１を挿入する。すると、記録媒体読取部１３は、受け付けた金融カード１の記録媒体１ａから口座情報（「７８９」）を読み取る。
【００３１】
続けて、不正行為者は、自動取引装置１０の記録媒体読取部１３に地金カード２を挿入すると、記録媒体読取部１３は、受け付けた地金カード２の記録媒体２ａから口座情報（「１２３」）及び重量情報とを読み取る。
【００３２】
カード情報取得部１４は、記録媒体読取部１３が読み取った金融カード１の口座情報と、地金カード２の口座情報及び重量情報とを取得し、金融カード情報保持部１１及び地金カード情報保持部１２にそれぞれ保持させる。
【００３３】
口座情報判定部１５は、金融カード情報保持部１１及び地金カード情報保持部１２を参照して、カード情報取得部１４が取得した金融カード１の口座情報（「７８９」）と地金カード２の口座情報（「１２３」）とが一致しないことを判定する。
【００３４】
自動取引装置１０では、口座情報判定部１５が金融カード１の口座情報と地金カード２の口座情報との不一致を判定すると、地金換金部１６による換金処理を行わずに、例えば、当該金融カード１では、地金カード２の地金２ｂの換金を行うことができないことを通知する等を行う。
【００３５】
このように、上記自動取引装置１０では、貴金属の地金２ｂが備えられた地金カード２の記録媒体２ａに第２口座情報と地金２ｂの重量情報等とを記録しておき、カード情報取得部１４により、金融カード１の第１口座情報と、地金カード２の第２口座情報及び重量情報とを取得させ、地金換金部１６により、口座情報判定部１５が第１口座情報と第２口座情報との一致を判定した場合に、重量情報から重量情報に対応する金額の現金に換金される。
【００３６】
これにより、自動取引装置１０では、金融カード１に一致する口座情報を備える地金カード２のみから地金２ｂを換金することができる。即ち、不正に地金カード２を取得した者が、その地金カード２の所有者に成りすまして、地金カード２の地金２ｂを換金することができなくなり、換金取引の安全性が保たれた状態で自動取引装置１０は換金処理を実行することができる。
【００３７】
ところで、上記において、地金カード２の記録媒体２ａに、口座情報に代わって、金融カード１及び地金カード２の所有者を識別する識別情報を保持させておくことで換金取引の安全性を保つことも可能である。
【００３８】
この場合、自動取引装置１０では、金融カード１を用いて、仮に、金融カード１の所有者により不正に地金２ｂが抜き取られた地金カード２の換金処理が実行されると、当該地金カード２は自動取引装置１０の内部に回収されて、当該所有者は換金金額の現金を不正に取得することができる。
【００３９】
しかし、その後、係員が、自動取引装置１０の内部に回収された地金カード２を検査して、地金２ｂが抜き取られた地金カード２を発見すると、当該地金カード２の記録媒体２ａに記録された識別情報に基づき、当該地金カード２の所有者（不正取得者）を特定することができる。このような機能を持たせることで、換金取引の不正防止を促し、換金取引の安全性を保つことができる。
【００４０】
［第２の実施の形態］
以下、第２の実施の形態では、第１の実施の形態をより具体的に説明する。
まず、自動取引システムについて図２を用いて説明する。
【００４１】
図２は、第２の実施の形態に係る自動取引システムの一例を示す図である。
自動取引システム１００は、図２に示されるように、自動取引装置２００と、金融ホストコンピュータ３００、地金ホストコンピュータ４００がネットワーク５００を介して相互に通信可能に接続されている。
【００４２】
自動取引装置２００は、銀行で利用されるＡＴＭ、信販会社で利用されるキャッシング装置等であり、金融カードを受け付けて、顧客からの操作入力に基づき金融取引を実行することができる。
【００４３】
金融ホストコンピュータ３００は、各顧客の情報、自動取引装置２００で実行される金融取引の管理等を行う。
地金ホストコンピュータ４００は、地金の所有者（購入者）、地金売買の為替レートの管理等を行う。
【００４４】
次に、このような自動取引システム１００を構成する各部の詳細について説明する。
まず、自動取引装置２００のハードウェア構成について図３を用いて説明する。
図３は、第２の実施の形態に係る自動取引装置のハードウェア構成例を示す図である。
【００４５】
なお、図３（Ａ）は、自動取引装置の外観について、図３（Ｂ）は、自動取引装置のハードウェア構成について、それぞれ示している。
自動取引装置２００は、自動取引装置２００で実行される処理の制御を行う制御ユニット２１０と、顧客からの操作入力を受け付け、受付画面等を表示する表示ユニット２２０を有する。また、キャッシュカード等をカード挿入／排出口２３０ａから挿入・排出するカード処理ユニット２３０と、通帳を通帳挿入／排出口２４０ａから挿入・排出する通帳処理ユニット２４０、硬貨を硬貨入出金口２５０ａから入出金する硬貨処理ユニット２５０、紙幣を紙幣入出金口２６０ａから入出金する紙幣処理ユニット２６０を有する。
【００４６】
制御ユニット２１０は、ＣＰＵ２１０ａと、ＲＡＭ（Random Access Memory）２１０ｂ、ＨＤＤ（Hard Disk Drive）２１０ｃ、グラフィック処理部２１０ｄ、入出力インタフェース２１０ｅ、金融通信制御部２１０ｆ、地金通信制御部２１０ｇを備えており、これらの各部はバス２１０ｈで相互に接続されている。
【００４７】
ＣＰＵ２１０ａは、ＨＤＤ２１０ｃ等の記録媒体に記憶された各種プログラムを実行することにより、自動取引装置２００全体を統括的に制御する。
ＲＡＭ２１０ｂには、ＣＰＵ２１０ａに実行させるＯＳ並びにプログラムの少なくとも一部が一時的に格納される。また、ＲＡＭ２１０ｂには、ＣＰＵ２１０ａによる処理に必要な各種データが格納される。
【００４８】
ＨＤＤ２１０ｃには、自動取引装置２００上のＯＳ、アプリケーション等のプログラムが格納される。また、ＨＤＤ２１０ｃには、自動取引装置２００に対する設定情報並びにＣＰＵ２１０ａによる処理に必要な各種情報が格納される。
【００４９】
グラフィック処理部２１０ｄには、表示ユニット２２０のディスプレイ２２１が接続されている。グラフィック処理部２１０ｄは、ＣＰＵ２１０ａからの命令に従って所定の画面を表示ユニット２２０のディスプレイ２２１に表示させる。
【００５０】
入出力インタフェース２１０ｅには、表示ユニット２２０のタッチパネル２２２と、カード処理ユニット２３０、通帳処理ユニット２４０、硬貨処理ユニット２５０、紙幣処理ユニット２６０が接続されている。入出力インタフェース２１０ｅは、バス２１０ｈを介してＣＰＵ２１０ａからの制御信号を各ユニットに通知し、各ユニットからの信号を同様にＣＰＵ２１０ａに通知する。
【００５１】
金融通信制御部２１０ｆは、自動取引装置２００の管理等を行う金融ホストコンピュータ３００を介して通信可能に接続されており、金融ホストコンピュータ３００と信号の送受信を行う。
【００５２】
地金通信制御部２１０ｇは、地金の管理等を行う地金ホストコンピュータ４００を介して通信可能に接続されており、地金ホストコンピュータ４００と地金換金取引に関する送受信を行う。
【００５３】
続いて、制御ユニット２１０以外の各ユニットについて説明する。
表示ユニット２２０は、ディスプレイ２２１とタッチパネル２２２とを備え、グラフィック処理部２１０ｄと入出力インタフェース２１０ｅとにそれぞれ接続されている。
【００５４】
ディスプレイ２２１は、グラフィック処理部２１０ｄからの画面情報に基づいて画面を表示する。
タッチパネル２２２は、ディスプレイ２２１が表示する画面に対する顧客のタッチを検知する。なお、タッチパネル２２２が検知した画面のタッチ位置に表示されている取引内容が制御ユニット２１０のＣＰＵ２１０ａで実行される。
【００５５】
カード処理ユニット２３０は、カード挿入／排出口２３０ａから顧客により挿入された金融カード、地金カードに対して情報の読み出し等の処理を実行する。また、カード処理ユニット２３０は、金融カード、地金カードを搬送させてカード挿入／排出口２３０ａから放出して顧客に返却する等の処理を行う。なお、カード処理ユニット２３０の構成の詳細については後述する。
【００５６】
通帳処理ユニット２４０は、通帳挿入／排出口２４０ａから顧客により挿入された通帳を所定位置まで搬送し、顧客からの取引実行指示に応じて実行された取引の履歴等を通帳の頁に印字する。また、通帳処理ユニット２４０は、取引履歴等の記録が完了した通帳を搬送して、通帳挿入／排出口２４０ａから放出して、顧客に返却する。
【００５７】
硬貨処理ユニット２５０及び紙幣処理ユニット２６０は、自動取引装置２００で実行した取引に応じて、当該取引の形式に基づく金額に対応する硬貨及び紙幣の入金または出金を硬貨入出金口２５０ａ及び紙幣入出金口２６０ａに対して実行する。
【００５８】
次に、カード処理ユニット２３０の構成の詳細について図４を用いて説明する。
図４は、第２の実施の形態に係る自動取引装置が備えるカード処理ユニットのハードウェア構成例を示す図である。
【００５９】
なお、図４（Ａ）は、カード処理ユニット２３０が備える機能を示すブロック図について、図４（Ｂ），（Ｃ）は、金融カード及び地金カードの平面図の一例について、それぞれ示している。
【００６０】
カード処理ユニット２３０は、図４（Ａ）に示されるように、カード挿入／排出口２３０ａから当該ユニット内部に延伸する搬送路２３０ｂと、搬送路２３０ｂ上を内部または外部に搬送させる搬送ローラ２３０ｃを備える。カード処理ユニット２３０は、搬送路２３０ｂを搬送するカードの磁気ストライプから情報を読み取り、または、磁気ストライプに情報を書き込む磁気リーダライタ部２３０ｄ、同様に、カードのＩＣチップから情報を読み取り、または、ＩＣチップに情報を書き込むＩＣリーダライタ部２３０ｅを備える。また、カード処理ユニット２３０は、搬送路２３０ｂから分岐した退避路２３０ｂ１の先に設けられ、カードを一旦退避させる退避部２３０ｆ、カードを回収する回収部２３０ｇを備える。さらに、カード処理ユニット２３０は、搬送ローラ２３０ｃ並びに磁気リーダライタ部２３０ｄ及びＩＣリーダライタ部２３０ｅを制御して、受け付けたカードを搬送、排出、退避、回収させ、また、情報の読み取り、書き込みを実行させる制御部２３０ｈを備える。
【００６１】
このようなカード処理ユニット２３０は、退避部２３０ｆを備えることで、一枚目のカードを退避部２３０ｆに退避させた状態で、二枚目のカードを受け付けることができ、２媒体のカードを取り扱うことができる。例えば、受け付けた金融カードを退避部２３０ｆに一旦退避させて、さらに、地金カードを受け付けることができる。
【００６２】
金融カード１０００は、図４（Ｂ）に示されるように、カード媒体１００１に、口座番号、金融情報（例えば、銀行であれば、銀行及び支店の番号の情報）等が記録された磁気ストライプ１００３が具備されている。なお、金融カード１０００は、カード媒体１００１に、磁気ストライプ１００３に代わって、口座番号、金融情報等が記録されたＩＣチップを具備させても構わない。
【００６３】
地金カード２０００は、図４（Ｃ）に示されるように、カード媒体２００１に、例えば、重量が２ｇの金（貴金属）の地金２００２が取り付けられ、当該地金２００２の所有者の金融カード１０００と一致する口座番号等、地金２００２の重量情報が記録されたＩＣチップ２００３が具備されている。なお、地金カード２０００は、カード媒体２００１に、ＩＣチップ２００３に代わって、口座番号、金融情報等が記録された磁気ストライプを金融カード１０００と同様に具備させても構わない。
【００６４】
次に、金融ホストコンピュータ３００及び地金ホストコンピュータ４００のハードウェア構成について図５を用いて説明する。
図５は、第２の実施の形態に係る金融ホストコンピュータ及び地金ホストコンピュータのハードウェア構成例を示す図である。
【００６５】
なお、金融ホストコンピュータ３００及び地金ホストコンピュータ４００は、同じ構成を備えているために、図５では、各構成を併記している。
金融ホストコンピュータ３００及び地金ホストコンピュータ４００は、自動取引装置２００と同様に、ＣＰＵ３１０ａ／４１０ａと、ＲＡＭ３１０ｂ／４１０ｂ、表示ユニット３２０／４２０のディスプレイ３２１／４２１が接続されたグラフィック処理部３１０ｄ／４１０ｄ、表示ユニット３２０／４２０のタッチパネル３２２／４２２が接続された入出力インタフェース３１０ｅ／４１０ｅ、ネットワーク５００を介して相互に、また、自動取引装置２００と通信を実行する通信制御部３１０ｆ／４１０ｆをそれぞれ備えている。これらの各部はバス３１０ｈ／４１０ｈで相互にそれぞれ接続されている。
【００６６】
次に、自動取引システム１００の各装置が備える機能について説明する。
まず、自動取引装置２００について図６を用いて説明する。
図６は、第２の実施の形態に係る自動取引装置が備える機能を示す機能ブロック図である。
【００６７】
図６（Ａ）は、自動取引装置が備える機能について、図６（Ｂ）〜（Ｄ）は、自動取引装置が備える情報について、それぞれ示している。
自動取引装置２００は、図６（Ａ）に示されるように、為替レート情報保持部２０１と、金融カード情報保持部２０２、地金カード情報保持部２０３、換金完了情報保持部２０４を備える。
【００６８】
為替レート情報保持部２０１は、自動取引装置２００が地金を換金する際の当該地金の為替レート（１グラム当たりの価格）に関する情報を保持する。
金融カード情報保持部２０２は、図６（Ｂ）に示されるように、自動取引装置２００が読み取った金融カード１０００の磁気ストライプ１００３に記録されている口座番号、金融情報を保持する。
【００６９】
地金カード情報保持部２０３は、図６（Ｃ）に示されるように、自動取引装置２００が読み取った地金カード２０００のＩＣチップ２００３に記録されている口座番号、金融情報、並びに、地金カード２０００を識別するカードＩＤ（カード識別情報）、地金２００２の重量情報を保持する。
【００７０】
換金完了情報保持部２０４は、図６（Ｄ）に示されるように、今回の換金取引において、これまでに換金完了した地金カード２０００のカードＩＤと、当該地金カード２０００の地金２００２の重量情報と共に、換金した地金２００２の総重量（総換金量）と、換金した地金２００２の総換金金額の情報を保持する。図６（Ｄ）の場合には、これまでに、カードＩＤが「１」で重量が「２ｇ」の地金カード２０００、カードＩＤが「２」で重量が「３ｇ」の地金カード２０００、カードＩＤが「３」で重量が「２ｇ」の地金カード２０００の換金が完了している。さらに、これらの総換金量は「７ｇ」であって、総換金金額は「３１，０３８円」である。
【００７１】
自動取引装置２００は、さらに、図６（Ａ）に示されるように、表示処理部２０５と、入力受付部２０６、カード処理制御部２０７、出金処理制御部２０８、送信部２０９、受信部２１１、金額算出部２１２、カード照合部２１３、換金処理制御部２１４を備える。
【００７２】
表示処理部２０５は、換金処理制御部２１４からの表示要求に基づき、表示ユニット２２０のディスプレイ２２１に換金処理における表示画面を表示させる。
入力受付部２０６は、表示ユニット２２０のタッチパネル２２２からの入力信号を受け付けて、当該入力信号を換金処理制御部２１４に通知する。
【００７３】
カード処理制御部２０７は、カード処理ユニット２３０の動作を制御して、金融カード１０００並びに地金カード２０００を内部に搬送して、磁気ストライプ１００３及びＩＣチップ２００３から情報を読み取らせ、外部、回収部２３０ｇ等に搬送させる。
【００７４】
出金処理制御部２０８は、換金処理制御部２１４からの出金制御信号に基づき、硬貨処理ユニット２５０及び紙幣処理ユニット２６０を制御して換金金額に相当する硬貨及び紙幣を出金させる。
【００７５】
送信部２０９は、換金処理制御部２１４からの送信要求に基づき、金融ホストコンピュータ３００並びに地金ホストコンピュータ４００に情報を送信する。
受信部２１１は、金融ホストコンピュータ３００並びに地金ホストコンピュータ４００から送信された情報を受信して、換金処理制御部２１４に通知する。
【００７６】
金額算出部２１２は、換金処理制御部２１４からの換金金額の算出要求に基づき、為替レート情報保持部２０１の為替レートに基づき、地金カード情報保持部２０３の重量情報から、換金金額を算出する。
【００７７】
カード照合部２１３は、換金処理制御部２１４からのカード照合要求に基づき、金融カード情報保持部２０２に保持されている金融カード１０００の口座番号、金融情報と、地金カード情報保持部２０３に保持されている地金カード２０００の口座番号、金融情報とを照合する。
【００７８】
次いで、金融ホストコンピュータ３００及び地金ホストコンピュータ４００が備える機能について図７を用いて説明する。
図７は、第２の実施の形態に係る金融ホストコンピュータ及び地金ホストコンピュータが備える機能を示す機能ブロック図である。
【００７９】
なお、図７（Ａ）は金融ホストコンピュータ３００について、図７（Ｂ）は地金ホストコンピュータ４００について、それぞれの機能ブロック図を示している。
金融ホストコンピュータ３００は、図７（Ａ）に示されるように、口座情報保持部３０１と、受信部３０２、換金可否判定制御部３０３、送信部３０４を備える。
【００８０】
口座情報保持部３０１は、口座ごとに、顧客の口座に関する口座番号、金融情報、暗証番号等の情報を予め保持する。
受信部３０２は、自動取引装置２００から送信された情報（口座番号、金融情報、暗証番号等）を受け付ける。
【００８１】
換金可否判定制御部３０３は、口座情報保持部３０１を参照して、自動取引装置２００から送信された口座番号、金融情報等が存在することを確認すると共に顧客により入力された暗証番号と照合し一致する場合には、換金可能であることを判定し、存在しない場合、または、当該暗証番号が一致しない場合には換金不可であることを判定する。
【００８２】
送信部３０４は、換金可否判定制御部３０３の換金可否判定結果を自動取引装置２００に送信する。
また、地金ホストコンピュータ４００は、図７（Ｂ）に示されるように、カードＩＤ情報保持部４０１と、受信部４０２、認証制御部４０３、送信部４０４を備える。
【００８３】
カードＩＤ情報保持部４０１は、地金カード２０００のカードＩＤの情報を予め保持する。
受信部４０２は、自動取引装置２００から送信された情報（カードＩＤ）を受け付ける。
【００８４】
認証制御部４０３は、カードＩＤ情報保持部４０１を参照して、自動取引装置２００から受け付けた地金カード２０００のカードＩＤの有無を確認して、当該地金カード２０００の認証を行う。
【００８５】
なお、地金カード２０００のカードＩＤとしては、例えば、文字・番号等で表現された識別情報を複数記憶されている。認証制御部４０３は、カードＩＤ情報保持部４０１を参照して、自動取引装置２００から受け付けた地金カード２０００のカードＩＤの全ての識別情報が存在するか否かに基づき、当該地金カード２０００の認証を行う。
【００８６】
送信部４０４は、認証制御部４０３が認証した地金カード２０００の認証結果を自動取引装置２００に送信する。
次に、このような自動取引システム１００で実行される地金換金処理について図８〜図１１並びに図１２〜図１４を用いて説明する。
【００８７】
図８〜図１１は、第２の実施の形態に係る自動取引システムで実行される地金換金処理を示すフローチャートである。
図１２〜図１４は、第２の実施の形態に係る自動取引システムで実行される地金換金処理時に自動取引装置に表示される表示画面例を示す図である。
【００８８】
［ステップＳ１１］  表示処理部２０５は、例えば、図１２に示されるような、取引選択画面をディスプレイ２２１に表示させて、顧客からの取引選択を待ち受ける。
［ステップＳ１２］  タッチパネル２２２に対する「地金換金（図１２）」の操作入力を入力受付部２０６が受け付けると、ステップＳ１３の処理を実行し、他の取引を受け付けた場合は、その取引に応じた他の取引が行われ、その後、ステップＳ１１に戻る（ステップＳ１２）。
【００８９】
［ステップＳ１３］  換金処理制御部２１４は、金融カード１０００の受け付け要求画面（図示を省略）を表示処理部２０５からディスプレイ２２１に表示させて、カード処理ユニット２３０のカード挿入／排出口２３０ａから金融カード１０００を受け付ける。
【００９０】
なお、カード処理制御部２０７は、カード処理ユニット２３０の制御部２３０ｈに制御させて、受け付けた金融カード１０００を、搬送路２３０ｂ上で磁気リーダライタ部２３０ｄの位置まで搬送ローラ２３０ｃにより搬送させる。
【００９１】
［ステップＳ１４］  カード処理制御部２０７は、カード処理ユニット２３０に、受け付けた金融カード１０００の磁気ストライプ１００３から磁気リーダライタ部２３０ｄにより口座番号、金融情報を読み取らせる。
【００９２】
［ステップＳ１５］  換金処理制御部２１４は、カード処理制御部２０７からカード処理ユニット２３０で金融カード１０００に対する読み取り処理が正常に実行されたか否かの通知を受け付ける。
【００９３】
換金処理制御部２１４は、カード処理制御部２０７から、読み取り処理が正常ではなかったこと（読み取りエラー）が通知されると、ステップＳ１６の処理を実行し、読み取り処理が正常に実行されたことが通知されると、ステップＳ１４で読み取った口座暗号、金融情報を金融カード情報保持部２０２に保持させて、ステップＳ１７の処理を実行する。
【００９４】
［ステップＳ１６］  換金処理制御部２１４は、表示処理部２０５からディスプレイ２２１に、金融カード１０００の読み取りエラーが発生したことを表示させて（図示を省略）、顧客に案内する。
【００９５】
その後、換金処理制御部２１４は、ステップＳ３８の処理を実行する。
［ステップＳ１７］  換金処理制御部２１４は、地金カード２０００の受け付け要求画面（図示を省略）を表示処理部２０５からディスプレイ２２１に表示させて、カード処理ユニット２３０のカード挿入／排出口２３０ａから地金カード２０００を受け付ける。
【００９６】
なお、カード処理制御部２０７は、カード処理ユニット２３０の制御部２３０ｈに制御させて、金融カード１０００を搬送路２３０ｂから分岐する退避路２３０ｂ１から退避部２３０ｆに退避させておき、その後、受け付けた地金カード２０００を、搬送路２３０ｂ上でＩＣリーダライタ部２３０ｅの位置まで搬送ローラ２３０ｃにより搬送させる。
【００９７】
［ステップＳ１８］  カード処理制御部２０７は、カード処理ユニット２３０に、受け付けた地金カード２０００のＩＣチップ２００３からＩＣリーダライタ部２３０ｅにより口座番号、金融情報、カードＩＤ、重量情報を読み取らせる。
【００９８】
［ステップＳ１９］  換金処理制御部２１４は、カード処理制御部２０７からカード処理ユニット２３０で地金カード２０００に対する読み取り処理が正常に実行されたか否かの通知を受け付ける。
【００９９】
換金処理制御部２１４は、カード処理制御部２０７から、読み取り処理が正常ではなかったこと（読み取りエラー）が通知されると、ステップＳ２０の処理を実行し、読み取り処理が正常に実行されたことが通知されると、ステップＳ１８で読み取った口座暗号、金融情報、カードＩＤ、重量情報を地金カード情報保持部２０３に保持させて、ステップＳ２１の処理を実行する。
【０１００】
［ステップＳ２０］  換金処理制御部２１４は、表示処理部２０５からディスプレイ２２１に、地金カード２０００の読み取りエラーが発生したことを表示させて（図示を省略）、顧客に案内する。
【０１０１】
その後、換金処理制御部２１４は、ステップＳ４０の処理を実行する。
［ステップＳ２１］  換金処理制御部２１４は、暗証番号の受け付け要求画面（図示を省略）を表示処理部２０５からディスプレイ２２１に表示させて、顧客からのタッチパネル２２２に対する暗証番号の操作入力を受け付ける。
【０１０２】
換金処理制御部２１４は、タッチパネル２２２から受け付けた暗証番号を、入力受付部２０６から取得する。
［ステップＳ２２］  換金処理制御部２１４は、カード照合部２１３に金融カード情報保持部２０２及び地金カード情報保持部２０３を参照して、ステップＳ１４で読み取った金融カード１０００の口座番号及び金融情報と、ステップＳ１８で読み取った地金カード２０００の口座番号と金融情報とを照合させる。
【０１０３】
［ステップＳ２３］  換金処理制御部２１４は、カード照合部２１３の照合結果に基づき、一致したか否かを判定する。
換金処理制御部２１４は、一致したことを判定すると、ステップＳ２４の処理を実行し、一致しないことを判定すると、ステップＳ４０の処理を実行する。
【０１０４】
［ステップＳ２４］  換金処理制御部２１４は、金融カード１０００の暗証番号、口座番号、金融情報と共に、換金可否判定要求を送信部２０９から金融ホストコンピュータ３００に送信する。
【０１０５】
［ステップＳ１１１］  金融ホストコンピュータ３００において、受信部３０２が暗証番号、口座番号、金融情報を受け付ける。
［ステップＳ１１２］  換金可否判定制御部３０３が、口座情報保持部３０１を参照して、ステップＳ１１１で受け付けた暗証番号、口座番号、金融情報が存在することを確認すると共に顧客により入力された暗証番号と照合し一致する場合には、換金可能であることを判定し、存在しない場合、または、前記暗証番号が一致しない場合には換金不可であることを判定する。
【０１０６】
［ステップＳ１１３］  換金可否判定制御部３０３は、送信部３０４から、ステップＳ１１２の換金可否判定結果を自動取引装置２００に送信させる。
［ステップＳ２５］  自動取引装置２００において、換金処理制御部２１４は、受信部２１１が受け付けた換金可否判定結果から、換金可能か否かを判定する。
【０１０７】
換金処理制御部２１４は、換金可能であることを判定するとステップＳ２６の処理を実行し、換金不可であることを判定するとステップＳ３９の処理を実行する。
［ステップＳ２６］  換金処理制御部２１４は、地金カード２０００のカードＩＤと共に、地金カード２０００の認証要求を送信部２０９から地金ホストコンピュータ４００に送信する。
【０１０８】
［ステップＳ２１１］  地金ホストコンピュータ４００において、受信部４０２がカードＩＤを受け付ける。
［ステップＳ２１２］  認証制御部４０３は、カードＩＤ情報保持部４０１を参照して、ステップＳ２１１で受け付けた、複数の識別情報で構成されるカードＩＤの照合を行う。認証制御部４０３は、カードＩＤを構成する複数の識別情報が全て照合できた場合には、地金カード２０００が適切であり、また、照合できない場合には、地金カード２０００が不適切であるとそれぞれ認証する。
【０１０９】
［ステップＳ２１３］  認証制御部４０３は、送信部４０４から、ステップＳ２１２の認証結果を自動取引装置２００に通知する。
［ステップＳ２７］  自動取引装置２００において、換金処理制御部２１４は、受信部２１１が受信した、地金ホストコンピュータ４００からの認証結果を判定する。
【０１１０】
換金処理制御部２１４は、地金カード２０００が適切（認証ＯＫ）である場合にはステップＳ２８の処理を、地金カード２０００が不適切である場合にはステップＳ４０の処理を実行する。
【０１１１】
［ステップＳ２８］  換金処理制御部２１４は、地金ホストコンピュータ４００から現在の地金２００２の為替レートの情報を取得して、為替レート情報保持部２０１に保持させる。
【０１１２】
なお、地金２００２の為替レートは、地金ホストコンピュータ４００からの取得に限らず、為替レートを表示するホームページにアクセスして、取得しても構わない。
［ステップＳ２９］  換金処理制御部２１４は、金額算出部２１２に、為替レート情報保持部２０１が保持する為替レートに基づき、地金カード情報保持部２０３が保持する地金２００２の重量から当該重量に対応する換金金額を算出させる。
【０１１３】
［ステップＳ３０］  換金処理制御部２１４は、ステップＳ２９で算出した換金金額を表示処理部２０５からディスプレイ２２１に表示させる。
例えば、換金する地金カード２０００が複数枚のうちの１枚目（または、１枚のみ）の場合には、図１３（Ａ）に示されるように、現在の為替レート（１ｇ＝４，４３４円）と、読み取った地金カード２０００のカードＩＤ（「１」）、地金２００２の重量（「２ｇ」）と共に、この際の換金金額の「８，８６８円」が表示される。
【０１１４】
なお、換金金額の表示画面には、換金する地金カード２０００に残りがあって、継続して残りの地金カード２０００の換金を実行するための「換金継続」ボタンが表示されている。また、地金カード２０００の換金を終了するための「換金終了」ボタンも表示されている。
【０１１５】
また、換金する地金カード２０００が２枚目以降の場合には、上記に加えて、例えば、図１３（Ｂ）に示されるように、（これまでに）換金完了した地金カードのカードＩＤ（「１」、［２］）とその重量（「２ｇ」、「３ｇ」）と共に、総換金量（「５ｇ」）及び総換金金額（「２２，１７０円」）とが表示される。
【０１１６】
［ステップＳ３１］  換金処理制御部２１４は、入力受付部２０６が、「換金継続」ボタンまたは「換金終了」ボタンのいずれかの操作入力を受け付けたかを判定する。
換金処理制御部２１４は、入力受付部２０６が「換金継続」ボタンの操作入力を受け付けた際には、ステップＳ３２の処理を実行し、「換金終了」ボタンの操作入力を受け付けた際には、ステップＳ３３の処理を実行する。
【０１１７】
［ステップＳ３２］  換金処理制御部２１４は、カード処理制御部２０７からカード処理ユニット２３０を制御して、地金カード２０００を搬送させて回収部２３０ｇで回収する。
【０１１８】
この後、換金処理制御部２１４は、再び、ステップＳ１７の処理を実行する。
［ステップＳ３３］  換金処理制御部２１４は、カード処理制御部２０７からカード処理ユニット２３０を制御して、地金カード２０００を搬送させて回収部２３０ｇで回収する。
【０１１９】
［ステップＳ３４］  換金処理制御部２１４は、換金金額の支払方法としてそのまま出金させる「出金」または顧客の口座に入金する「入金」を選択することができるボタンがそれぞれ表示された支払方法選択画面（図示を省略）を表示処理部２０５からディスプレイ２２１に表示させて、支払方法を受け付ける。
【０１２０】
［ステップＳ３５］  換金処理制御部２１４は、入力受付部２０６が、「出金」ボタンまたは「入金」ボタンのいずれかの操作入力を受け付けたかを判定する。
換金処理制御部２１４は、入力受付部２０６が「出金」ボタンの操作入力を受け付けた際には、ステップＳ３６の処理を実行し、「入金」ボタンの操作入力を受け付けた際には、ステップＳ３７の処理を実行する。
【０１２１】
［ステップＳ３６］  換金処理制御部２１４は、出金処理制御部２０８から硬貨処理ユニット２５０及び紙幣処理ユニット２６０に、ステップＳ２９で算出した換金金額の現金を出金させる。
【０１２２】
［ステップＳ３７］  換金処理制御部２１４は、ステップＳ２９で算出した換金金額と、金融カード情報保持部２０２を参照して金融カード１０００の口座番号、金融情報とを金融ホストコンピュータ３００に送信して、当該口座に換金金額を入金する。
【０１２３】
［ステップＳ３８］  換金処理制御部２１４は、カード処理制御部２０７からカード処理ユニット２３０を制御させて、金融カード１０００を顧客に返却する。
［ステップＳ３９］  換金処理制御部２１４は、カード処理制御部２０７からカード処理ユニット２３０を制御させて、金融カード１０００及び地金カード２０００を顧客に返却する。
【０１２４】
［ステップＳ４０］  換金処理制御部２１４は、現在の換金が継続換金であるか否かを判定する。
換金処理制御部２１４は、現在の換金が継続換金である場合には、ステップＳ４１の処理を実行し、継続換金ではない（一枚目（一枚のみ）の地金カード２０００の換金）場合には、ステップＳ３９の処理を実行する。
【０１２５】
［ステップＳ４１］  換金処理制御部２１４は、カード処理制御部２０７からカード処理ユニット２３０を制御させて、地金カード２０００を顧客に返却する。
［ステップＳ４２］  換金処理制御部２１４は、表示処理部２０５からディスプレイ２２１に、これまでに地金カード２０００から換金した換金金額を表示させる。
【０１２６】
例えば、図１４に示されるように、為替レート（１ｇ＝４，４３４円）と、これまでに、換金完了した地金カード２０００の地金カードＩＤと重量と共に、総換金量及び総換金金額（換金した換金金額）とが表示される。
【０１２７】
また、この場合も、「換金継続」ボタン、「換金終了」ボタンがそれぞれ表示されている。
［ステップＳ４３］  換金処理制御部２１４は、入力受付部２０６が、「換金継続」ボタンまたは「換金終了」ボタンのいずれかの操作入力を受け付けたかを判定する。
【０１２８】
換金処理制御部２１４は、入力受付部２０６が「換金継続」ボタンの操作入力を受け付けた際には、ステップＳ１７の処理を実行し、「換金終了」ボタンの操作入力を受け付けた際には、ステップＳ３４の処理を実行する。
【０１２９】
以上の処理フローにより、自動取引システム１００で地金換金処理が実行される。
このように、上記自動取引装置２００では、地金２００２が備えられた地金カード２０００のＩＣチップ２００３に金融カード１０００と一致する口座番号、金融情報と地金２００２の重量情報、カードＩＤとを記録しておく。カード処理制御部２０７に、金融カード１０００の口座番号、金融情報と、地金カード２０００の口座番号、金融情報、カードＩＤ、重量情報とを取得させ、カード照合部２１３による金融カード１０００及び地金カード２０００の口座番号、金融情報を照合させる。換金処理制御部２１４は、照合の結果、金融カード１０００及び地金カード２０００の口座番号、金融情報が一致する場合には、金額算出部２１２に、地金カード２０００の重量から換金させる。
【０１３０】
これにより、自動取引装置２００では、金融カード１０００と一致する口座情報を備える地金カード２０００のみにより地金２００２を換金することができる。即ち、不正に地金カード２０００を取得した者が、その地金カード２０００の所有者に成りすまして、地金カード２０００の地金２００２を換金することができなくなり、換金取引の安全性が保たれて、自動取引装置２００で換金処理を実行することができる。
【０１３１】
［第３の実施の形態］
第３の実施の形態では、地金カード２０００のＩＣチップ２００３には、金融カード１０００と一致する口座情報、金融情報が記録されておらず、カードＩＤと重量情報が記録されており、カードＩＤには、金融カード１０００と地金カード２０００との所有者（顧客）が対応付けられている。
【０１３２】
カードＩＤには、例えば、所有者の氏名、住所、電話番号等、所有者を特定することができる情報が対応付けられている。
まず、第３の実施の形態に係る自動取引装置が備える機能について図１５を用いて説明する。
【０１３３】
図１５は、第３の実施の形態に係る自動取引装置が備える機能を示す機能ブロック図である。
図１５（Ａ）は、自動取引装置が備える機能について、図１５（Ｂ）は、自動取引装置が備える情報について、それぞれ示している。
【０１３４】
なお、第３の実施の形態の自動取引システム１００は、第２の実施の形態における自動取引システム１００において、自動取引装置２００に代わって、自動取引装置１２００を備えるものである。また、自動取引装置１２００のハードウェア構成は、第２の実施の形態の自動取引装置２００と同様のハードウェア構成を備える。
【０１３５】
自動取引装置１２００は、図１５（Ａ）に示されるように、自動取引装置２００において金融カード情報保持部２０２と、カード照合部２１３が取り除かれた構成である。
また、自動取引装置１２００が備える地金カード情報保持部１２０３には、図１５（Ｂ）に示されるように、地金カード２０００から読み取ったカードＩＤと、重量情報が保持されている。
【０１３６】
次に、このような自動取引装置１２００が含まれる自動取引システム１００で実行される換金処理について図１６及び図９〜図１１を用いて説明する。
図１６は、第３の実施の形態に係る自動取引システムで実行される地金換金処理を示すフローチャートである。
【０１３７】
自動取引システム１００では、自動取引装置１２００は、図８と同様に、ステップＳ１１〜ステップＳ１７の処理を実行して、ステップＳ１８ａの処理を実行する。
［ステップＳ１８ａ］  カード処理制御部２０７は、カード処理ユニット２３０に、受け付けた地金カード２０００のＩＣチップ２００３からＩＣリーダライタ部２３０ｅによりカードＩＤ、重量情報を読み取らせる。
【０１３８】
この後、ステップＳ１９，Ｓ２０の処理後は、図９〜図１１の処理が実行される。なお、ステップＳ１９の処理において、換金処理制御部２１４は、読み取り処理が正常に実行されたことが通知されると、ステップＳ１８ａで読み取ったカードＩＤ、重量情報を地金カード情報保持部２０３に保持させて、ステップＳ２１の処理を実行する。
【０１３９】
なお、図１６及び図９〜図１１の処理が実行される際には、図１２〜図１４の表示画面が適宜表示される。
このような自動取引システム１００では、自動取引装置１２００で、金融カード１０００を用いて、仮に、金融カード１０００の所有者により不正に地金２００２が抜き取られた地金カード２０００の換金処理が実行される。そして、当該地金カード２０００はカード処理ユニット２３０の回収部２３０ｇに回収されて、当該所有者は換金金額の現金を不正に取得する。
【０１４０】
しかし、その後、係員が、自動取引装置１２００の回収部２３０ｇ内に回収された地金カード２０００を検査して、地金２００２が抜き取られた地金カード２０００を発見すると、当該地金カード２０００のＩＣチップ２００３に記録されたカードＩＤに基づき、当該地金カード２０００の所有者（不正取得者）を特定することができる。このような機能を持たせることで、換金取引の不正防止を促し、換金取引の安全性を保つことができる。
【０１４１】
また、上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１４２】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０１４３】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１４４】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１４５】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【０１４６】
なお、上述の実施の形態は、実施の形態の要旨を逸脱しない範囲内において種々の変更を加えることができる。
【符号の説明】
【０１４７】
１  金融カード
１ａ，２ａ  記録媒体
２  地金カード
２ｂ  地金
１０  自動取引装置
１１  金融カード情報保持部
１２  地金カード情報保持部
１３  記録媒体読取部
１４  カード情報取得部
１５  口座情報判定部
１６  地金換金部
１７  支払部
【図１】
2015125717.tif 000003
【図２】
2015125717.tif 000004
【図３】
2015125717.tif 000005
【図４】
2015125717.tif 000006
【図５】
2015125717.tif 000007
【図６】
2015125717.tif 000008
【図７】
2015125717.tif 000009
【図８】
2015125717.tif 000010
【図９】
2015125717.tif 000011
【図１０】
2015125717.tif 000012
【図１１】
2015125717.tif 000013
【図１２】
2015125717.tif 000014
【図１３】
2015125717.tif 000015
【図１４】
2015125717.tif 000016
【図１５】
2015125717.tif 000017
【図１６】
2015125717.tif 000018